(57)【要約】  ユーザ機器（ＵＥ）が第１のタイプの通信ネットワークから第２のタイプの通信ネットワークに移るとき、前記ＵＥのロケーションを更新するための方法であって、前記方法は、  −  前記第２のタイプの通信ネットワークによって備えられるユーザサブスクリプションノードによって、前記ＵＥが前記第２のタイプの通信ネットワークへの登録を要求したという指示を受信するステップと、  −  前記第２のタイプの通信ネットワークによって備えられる前記ユーザサブスクリプションノードによって、前記ＵＥが前記第１のタイプの通信ネットワークに登録されていると決定するステップと、  −  前記第２のタイプの通信ネットワークによって備えられる前記ユーザサブスクリプションノードによって、前記ＵＥに関するロケーション情報を削除するためのロケーション削除メッセージを、前記第１のタイプの通信ネットワークによって備えられるユーザサブスクリプションノードに送信するステップとを含む、方法。【選択図】図２
2021533636.tif 000002
【特許請求の範囲】
【請求項１】
ユーザ機器（ＵＥ）が第１のタイプの通信ネットワークから第２のタイプの通信ネットワークに移るとき、前記ＵＥのロケーションを更新するための方法であって、前記方法は、
−  前記第２のタイプの通信ネットワークによって備えられるユーザサブスクリプションノードによって、前記ＵＥが前記第２のタイプの通信ネットワークへの登録を要求したという指示を受信するステップと、
−  前記第２のタイプの通信ネットワークによって備えられる前記ユーザサブスクリプションノードによって、前記ＵＥが前記第１のタイプの通信ネットワークに登録されていると決定するステップと、
−  前記第２のタイプの通信ネットワークによって備えられる前記ユーザサブスクリプションノードによって、前記ＵＥに関するロケーション情報を削除するためのロケーション削除メッセージを、前記第１のタイプの通信ネットワークによって備えられるユーザサブスクリプションノードに送信するステップと
を含む、方法。
【請求項２】
決定する前記ステップは、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されているという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかを含む、請求項１に記載の方法。
【請求項３】
前記第２のタイプの通信ネットワークによって備えられる前記ユーザサブスクリプションノードと、前記第１のタイプの通信ネットワークによって備えられる前記ユーザサブスクリプションノードが両方とも、コンバージドデータベースへのアクセスを有し、前記コンバージドデータベースが、ＵＥのためのコンソリデートされたサブスクリプションプロファイルを備え、決定する前記ステップは、
−  前記第２のタイプの通信ネットワークによって備えられる前記ユーザサブスクリプションノードによって、前記コンバージドデータベースから、前記ＵＥが前記第１のタイプの通信ネットワークに登録されているという指示を取り出すこと
を含む、請求項１に記載の方法。
【請求項４】
−  前記第２のタイプの通信ネットワークによって備えられる前記ユーザサブスクリプションノードによって、前記第１のタイプの通信によって備えられる前記ユーザサブスクリプションノードから、前記ＵＥに関するロケーション情報の削除を確認応答する確認応答メッセージを受信するステップ
をさらに含む、請求項１から３のいずれか一項に記載の方法。
【請求項５】
決定する前記ステップは、
−  前記ＵＥに関するロケーション情報を、前記第１のタイプの通信ネットワークによって備えられる前記ユーザサブスクリプションノードから削除する必要があることを、前記必要が、前記第２のタイプの通信ネットワークによって備えられる前記ユーザサブスクリプションノードにおいてあらかじめ設定されたと決定することによって、決定すること
をさらに含む、請求項１から４のいずれか一項に記載の方法。
【請求項６】
前記第１のタイプの通信ネットワークによって備えられる前記ユーザサブスクリプションノードが、ネットワーク間インターワーキングサービスを提供し、決定する前記ステップが、
−  前記第２のタイプの通信ネットワークによって備えられる前記ユーザサブスクリプションノードによって、前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記第２のタイプの通信ネットワークによって備えられる前記ユーザサブスクリプションノードによって、前記ネットワーク間インターワーキングサービスを使用することと
をさらに含む、請求項１から５のいずれか一項に記載の方法。
【請求項７】
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである
のうちのいずれかである、請求項１から６のいずれか一項に記載の方法。
【請求項８】
送信する前記ステップが、
−  前記第２のタイプの通信ネットワークによって備えられる前記ユーザサブスクリプションノードによって、コアネットワーク間インターフェース上で前記ロケーション削除メッセージを送信すること
を含む、請求項１から７のいずれか一項に記載の方法。
【請求項９】
第２のタイプの通信ネットワークにおいて動作可能であるように構成され、ユーザ機器（ＵＥ）が第１のタイプの通信ネットワークから第２のタイプの通信ネットワークに移るとき、前記ＵＥのロケーションを更新するために構成された、ユーザサブスクリプションノードであって、前記ユーザサブスクリプションノードは、
−  前記ＵＥが前記第２のタイプの通信ネットワークへの登録を要求したという指示を受信するために構成された受信機器と、
−  前記ＵＥが前記第１のタイプの通信ネットワークに登録されていると決定するために構成されたプロセス機器と、
−  前記ＵＥに関するロケーション情報を削除するためのロケーション削除メッセージを、前記第１のタイプの通信ネットワークによって備えられるユーザサブスクリプションノードに送信するために構成された送信機器と
を備える、ユーザサブスクリプションノード。
【請求項１０】
前記プロセス機器は、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されているという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかを行うためにさらに構成された、請求項９に記載のユーザサブスクリプションノード。
【請求項１１】
前記第２のタイプの通信ネットワークによって備えられる前記ユーザサブスクリプションノードと、前記第１のタイプの通信ネットワークによって備えられる前記ユーザサブスクリプションノードが両方とも、コンバージドデータベースにアクセスするように構成され、前記コンバージドデータベースが、ＵＥのためのコンソリデートされたサブスクリプションプロファイルを備え、前記プロセス機器は、
−  前記コンバージドデータベースから、前記ＵＥが前記第１のタイプの通信ネットワークに登録されているという指示を取り出すこと
をさらに含む、請求項９に記載のユーザサブスクリプションノード。
【請求項１２】
前記ユーザサブスクリプションノードが、
−  前記第１のタイプの通信によって備えられる前記ユーザサブスクリプションノードから、前記ＵＥに関するロケーション情報の削除を確認応答する確認応答メッセージを受信するために構成された受信機器
をさらに備える、請求項９から１１のいずれか一項に記載のユーザサブスクリプションノード。
【請求項１３】
前記ユーザサブスクリプションノードは、
−  前記ＵＥに関するロケーション情報を、前記第１のタイプの通信ネットワークによって備えられる前記ユーザサブスクリプションノードから削除する必要があることを、前記必要が、前記第２のタイプの通信ネットワークによって備えられる前記ユーザサブスクリプションノードにおいてあらかじめ設定されたと決定することによって、決定すること
をさらに含む、請求項９から１２のいずれか一項に記載のユーザサブスクリプションノード。
【請求項１４】
前記第１のタイプの通信ネットワークによって備えられる前記ユーザサブスクリプションノードが、ネットワーク間インターワーキングサービスを提供するために構成され、前記プロセス機器が、
−  前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記ネットワーク間インターワーキングサービスを使用することと
を行うためにさらに構成された、請求項９から１３のいずれか一項に記載のユーザサブスクリプションノード。
【請求項１５】
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである
のうちのいずれかである、請求項９から１４のいずれか一項に記載のユーザサブスクリプションノード。
【請求項１６】
前記送信機器が、コアネットワーク間インターフェース上で前記ロケーション削除メッセージを送信するためにさらに構成された、請求項９から１５のいずれか一項に記載のユーザサブスクリプションノード。
【請求項１７】
第２のタイプの通信ネットワークによって備えられるユーザサブスクリプションノードによって実行されたとき、前記ユーザサブスクリプションノードに、請求項１から８のいずれか一項に記載の方法を実施させる命令を記憶したコンピュータ可読媒体を備えるコンピュータプログラム製品。
【発明の詳細な説明】
【技術分野】
【０００１】
説明
本開示は、一般に、通信の分野に関し、より詳細には、第１のタイプの通信ネットワークに登録されているＵＥが、第２のタイプの通信ネットワークにアタッチするための要求を開始する状況に関する。
【背景技術】
【０００２】
３ＧＰＰ  ＳＡ２は、いくつかの組み合わせられた機能に基づいて、第５世代システム（５ＧＳ）とエボルブドパケットシステム（ＥＰＳ）とのインターワーキングのためのアーキテクチャを規定した。移行目的で、ホームサブスクライバサーバ＋統合データ管理（ＨＳＳ＋ＵＤＭ）組合せが、導入され、エボルブドパケットコア（ＥＰＣ）と５ＧＣネットワークとの間のインターワーキングをサポートするために指定された組合せ機能のうちの１つとして規定される。
【０００３】
特定のユーザ機器（ＵＥ）が５ＧからＥＰＳに移る場合、ＵＥは初期アタッチ／ＴＡＵ要求をモビリティ管理エンティティ（ＭＭＥ）に送り、ＭＭＥは、ＵＥがキャンピングしていた／しているアクセスおよびモビリティ管理機能（ＡＭＦ）に、ＵＥコンテキストを要求する。そのような要求は、ＡＭＦとＭＭＥとの間のＮ２６インターフェースを伴い得る。認証プロセスの後に、ＭＭＥは、旧来、ＥＰＣにおいて行われるように、ＨＳＳにおいてＵＥのロケーションを更新する必要がある。
【０００４】
その後、ＨＳＳ＋ＵＤＭ組合せは、ＵＤＭビジネスロジックを実行する必要があり、前のＡＭＦを登録解除する必要がある。それは、ＡＭＦが登録解除されたことをＡＭＦに知らせ、ＡＭＦは、次いで、サブスクリプションデータ修正変更からアンサブスクライブする。
【０００５】
本開示は、特定のＵＥがＥＰＣに登録され、５ＧＣに移る、逆シナリオをも対象とする。その場合、ＵＥは、最初に、登録要求をＡＭＦに送る。認証プロシージャの後に、新しいＡＭＦは、ＵＤＭビジネスロジックとサービスとを使用して、ＨＳＳ＋ＵＤＭ組合せに登録されなければならない。その新しいＡＭＦは、対応するサブスクリプションデータをフェッチし、サブスクリプションデータが修正されたときに通知されるようにサブスクライブする。
【０００６】
次いで、ＨＳＳビジネスロジックは、ＵＥが１つのサービングノードにのみ登録されているままであるので、ロケーション消去メッセージを、前のＭＭＥに送る必要がある。
【０００７】
上記で説明された状況の欠点のうちの１つは、ＨＳＳおよびＵＤＭのための設計選択において限られたフレキシビリティしかないことである。
【発明の概要】
【０００８】
ユーザ機器（ＵＥ）が第１のタイプの通信ネットワークから第２のタイプの通信ネットワークに移るとき、前記ＵＥのロケーションを更新するための方法を達成することが有利であり、本方法は、ホームサブスクライバサーバ（ＨＳＳ）および統合データ管理（ＵＤＭ）のための設計選択、実装選択、および展開選択におけるより多くのフレキシビリティを提供する。
【０００９】
設計選択、実装選択、および展開選択におけるより多くのフレキシビリティを提供する、ＨＳＳおよびＵＤＭのようなユーザサブスクリプションノードを達成することが、さらに有利であろう。
【００１０】
本開示の第１の態様では、ユーザ機器（ＵＥ）が第１のタイプの通信ネットワークから第２のタイプの通信ネットワークに移るとき、前記ＵＥのロケーションを更新するための方法が提供される。
【００１１】
本方法は、
−  前記第２のタイプの通信ネットワークによって備えられるユーザサブスクリプションノードによって、前記ＵＥが前記第２のタイプの通信ネットワークへの登録を要求したという指示を受信するステップと、
−  前記第２のタイプの通信ネットワークによって備えられる前記ユーザサブスクリプションノードによって、前記ＵＥが前記第１のタイプの通信ネットワークに登録されていると決定するステップと、
−  前記第２のタイプの通信ネットワークによって備えられる前記ユーザサブスクリプションノードによって、前記ＵＥに関するロケーション情報を削除するためのロケーション削除メッセージを、前記第１のタイプの通信ネットワークによって備えられるユーザサブスクリプションノードに送信するステップと
を含む。
【００１２】
ＨＳＳとＵＤＭとが同じベンダーからのものではないとき、知られている従来技術において問題が起こり得ることが見識のうちの１つであった。現在の説明されるアーキテクチャは、ＵＤＭおよびＨＳＳのためのマルチベンダーベース手法を可能にしない。
【００１３】
本開示は、ＨＳＳとＵＤＭとがスプリットされ、たとえば、異なるベンダーによって提供される、概念を対象とする。本開示によれば、ユーザサブスクリプションノードがＨＳＳまたはＵＤＭとして実装され得ることに留意されたい。
【００１４】
より詳細には、本開示は、異なるタイプの通信ネットワークに常駐する２つのユーザサブスクリプションノード間の、ユーザサブスクリプションノードの各々のための設計選択におけるより多くのフレキシビリティを提供するための、通信原理を開示する。
【００１５】
本開示の態様のうちの１つは、前記第２のタイプの通信ネットワークによって備えられるユーザサブスクリプションノードが、前記ＵＥに関するロケーション情報を削除するためのロケーション削除メッセージを、前記第１のタイプの通信ネットワークによって備えられるユーザサブスクリプションノードに送信することである。そのようなメッセージは、第１のタイプの通信ネットワークによって備えられるユーザサブスクリプションノードが、ＵＥに関するロケーション情報を削除することを可能にする。
【００１６】
したがって、ロケーション削除メッセージは通信ネットワーク上で送られる。
【００１７】
上記で説明された方法は、ユーザ機器（ＵＥ）が５Ｇネットワークから４Ｇネットワークに移るときに適用可能であるが、ＵＥが４Ｇネットワークから５Ｇネットワークに移るときにも適用可能であることに留意されたい。
【００１８】
一例では、決定するステップは、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されているという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかを含む。
【００１９】
第２のタイプの通信ネットワークによって備えられるユーザサブスクリプションノードが、ロケーション削除メッセージを、第１のタイプの通信ネットワークによって備えられるユーザサブスクリプションノードに送信することが必要とされるかどうかを最初に決定し得ることに留意されたい。
【００２０】
これは、ＵＥが４Ｇネットワークから５Ｇネットワークに移ることに関して説明されるが、その逆の、ＵＥが５Ｇネットワークから４Ｇネットワークに移るシナリオにおいても適用可能であり得る。
【００２１】
ＵＥのサブスクリプションプロファイルが、サブスクライバデータベース、たとえば、統合データリポジトリ（ＵＤＲ）中に含まれていることがある。サブスクリプションプロファイルは、この特定のＵＥが同じく４Ｇユーザであるかどうかの情報を含み得る。これは、ネットワークのオペレータによって知られていることがあり、プロビジョニングにおいて要求され得る。
【００２２】
３ＧＰＰは、４ＧユーザデータがＨＳＳに記憶され、５ＧユーザデータがＵＤＭに記憶されることを述べていることに留意されたい。随意に、ＵＤＭ＋５Ｇ  ＵＤＲとＨＳＳ＋４Ｇ  ＵＤＲとを分離することが可能であるが、これは、データがビジネスロジックから切り離される展開オプションである。
【００２３】
別のオプションは、ＵＤＭが直接、この情報を、ＥＰＣ  ＵＤＲ中のサブスクライバ情報から読み取ることを試みることである。これは、ＵＤＭが、ＵＤＲにアクセスするためのＵｄ／ＬＤＡＰインターフェースを実装することを必要とし得る。
【００２４】
別の例では、前記第２のタイプの通信ネットワークによって備えられる前記ユーザサブスクリプションノードと、前記第１のタイプの通信ネットワークによって備えられる前記ユーザサブスクリプションノードが両方とも、コンバージドデータベースへのアクセスを有し、前記コンバージドデータベースが、ＵＥのためのコンソリデートされたサブスクリプションプロファイルを備え、決定する前記ステップは、
−  前記第２のタイプの通信ネットワークによって備えられる前記ユーザサブスクリプションノードによって、前記コンバージドデータベースから、前記ＵＥが前記第１のタイプの通信ネットワークに登録されているという指示を取り出すこと
を含む。
【００２５】
コンバージドデータベースは、たとえば、コンバージドサブスクリプションデータリポジトリである。
【００２６】
上記の例は、コンバージドデータベースがＵＥのためのサブスクリプションプロファイルを備える概念を対象とする。各ＵＥは、コンバージドデータベースに記憶された単一のサブスクリプションプロファイルを有する。単一のサブスクリプションプロファイルは、５Ｇサブスクリプションに有効であるが、４Ｇサブスクリプションにも有効である。したがって、ＵＥは、４Ｇサブスクリプションプロファイルならびに５Ｇサブスクリプションプロファイルをもはや有しない。これらは、単一のサブスクリプションプロファイルに組み合わせられる。コンバージドデータベースは、４Ｇネットワーク、すなわちＨＳＳと、５Ｇネットワーク、すなわちＵＤＭの両方にとってアクセス可能である。
【００２７】
さらなる一例では、本方法は、
−  前記第２のタイプの通信ネットワークによって備えられる前記ユーザサブスクリプションノードによって、前記第１のタイプの通信によって備えられる前記ユーザサブスクリプションノードから、前記ＵＥに関するロケーション情報の削除を確認応答する確認応答メッセージを受信するステップ
をさらに含む。
【００２８】
上記のことの利点は、初期ユーザサブスクリプションノードが、ロケーション情報が実際に削除されたということに気づかされることである。
【００２９】
別の例では、決定するステップは、
−  前記ＵＥに関するロケーション情報を、前記第１のタイプの通信ネットワークによって備えられる前記ユーザサブスクリプションノードから削除する必要があることを、前記必要が、前記第２のタイプの通信ネットワークによって備えられる前記ユーザサブスクリプションノードにおいてあらかじめ設定されたと決定することによって、決定すること
をさらに含む。
【００３０】
ユーザサブスクリプションノードが、ＵＥに関するロケーション情報を削除する必要があるかどうかを最初に決定することが、有益であり得る。すなわち、ロケーション情報の削除は、たとえば、４Ｇ／５Ｇインターワーキングの必要があるとき、重要であり得る。このようにして、異なる通信ネットワークが一緒に動作し得る。
【００３１】
また別の例では、前記第１のタイプの通信ネットワークによって備えられるユーザサブスクリプションノードが、ネットワーク間インターワーキングサービスを提供し、決定する前記ステップが、
−  前記第２のタイプの通信ネットワークによって備えられる前記ユーザサブスクリプションノードによって、前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記第２のタイプの通信ネットワークによって備えられる前記ユーザサブスクリプションノードによって、前記ネットワーク間インターワーキングサービスを使用することと
をさらに含む。
【００３２】
さらなる例では、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである
のうちのいずれかである。
【００３３】
また別の例では、送信するステップは、
−  前記第２のタイプの通信ネットワークによって備えられる前記ユーザサブスクリプションノードによって、コアネットワーク間インターフェース上で前記ロケーション削除メッセージを送信すること
を含む。
【００３４】
本開示の第２の態様では、第２のタイプの通信ネットワークにおいて動作可能であるように構成され、ユーザ機器（ＵＥ）が第１のタイプの通信ネットワークから第２のタイプの通信ネットワークに移るとき、前記ＵＥのロケーションを更新するために構成された、ユーザサブスクリプションノードであって、前記ユーザサブスクリプションノードは、
−  前記ＵＥが前記第２のタイプの通信ネットワークへの登録を要求したという指示を受信するために構成された受信機器と、
−  前記ＵＥが前記第１のタイプの通信ネットワークに登録されていると決定するために構成されたプロセス機器と、
−  前記ＵＥに関するロケーション情報を削除するためのロケーション削除メッセージを、前記第１のタイプの通信ネットワークによって備えられるユーザサブスクリプションノードに送信するために構成された送信機器と
を備える、ユーザサブスクリプションノードが提供される。
【００３５】
方法である、本開示の第１の態様に関して述べられたような利点は、ユーザサブスクリプションノードである、本開示の第２の態様に関しても有効であることに留意されたい。
【００３６】
さらに、本開示によるサブスクリプションノードは、ＨＳＳおよびＵＤＭのうちのいずれかであり得ることに留意されたい。
【００３７】
さらに、本開示の第２の態様に関して開示される機器は、モジュール、ユニット、デバイス、または同様のものと見なされ得ることが諒解される。
【００３８】
一例では、プロセス機器は、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されているという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかを行うためにさらに構成される。
【００３９】
さらなる例では、前記第２のタイプの通信ネットワークによって備えられる前記ユーザサブスクリプションノードと、前記第１のタイプの通信ネットワークによって備えられる前記ユーザサブスクリプションノードが両方とも、コンバージドデータベースにアクセスするように構成され、前記コンバージドデータベースが、ＵＥのためのコンソリデートされたサブスクリプションプロファイルを備え、前記プロセス機器は、
−  前記コンバージドデータベースから、前記ＵＥが前記第１のタイプの通信ネットワークに登録されているという指示を取り出すこと
をさらに含む。
【００４０】
別の例では、前記ユーザサブスクリプションノードは、
−  前記第１のタイプの通信によって備えられる前記ユーザサブスクリプションノードから、前記ＵＥに関するロケーション情報の削除を確認応答する確認応答メッセージを受信するために構成された受信機器
をさらに備える。
【００４１】
一例では、ユーザサブスクリプションノードは、
−  前記ＵＥに関するロケーション情報を、前記第１のタイプの通信ネットワークによって備えられる前記ユーザサブスクリプションノードから削除する必要があることを、前記必要が、前記第２のタイプの通信ネットワークによって備えられる前記ユーザサブスクリプションノードにおいてあらかじめ設定されたと決定することによって、決定すること
をさらに含む。
【００４２】
さらなる例では、前記第１のタイプの通信ネットワークによって備えられるユーザサブスクリプションノードが、ネットワーク間インターワーキングサービスを提供するために構成され、前記プロセス機器が、
−  前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記ネットワーク間インターワーキングサービスを使用することと
を行うためにさらに構成される。
【００４３】
一例では、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである
のうちのいずれかである。
【００４４】
また別の例では、送信機器が、コアネットワーク間インターフェース上で前記ロケーション削除メッセージを送信するためにさらに構成される。
【００４５】
本開示の第３の態様では、第２のタイプの通信ネットワークによって備えられるユーザサブスクリプションノードによって実行されたとき、前記ユーザサブスクリプションノードに、上記で与えられたような例のうちのいずれかに記載の方法を実施させる命令を記憶したコンピュータ可読媒体を備えるコンピュータプログラム製品が提供される。
【００４６】
本開示の上述のおよび他の特徴および利点は、添付の図面を参照して以下の説明から最も良く理解されるであろう。図面において、同様の参照番号は、同等の部分あるいは同等のまたは匹敵する機能または動作を実施する部分を示す。
【図面の簡単な説明】
【００４７】
【図１】従来技術による、ユーザ機器（ＵＥ）が第１のタイプのネットワークから第２のタイプのネットワークに移るとき、前記ＵＥのロケーションを更新することの一例のフローチャートを概略的に示す図である。
【図２】本開示による、ユーザ機器（ＵＥ）が第１のタイプのネットワークから第２のタイプのネットワークに移るとき、前記ＵＥのロケーションを更新することの一例のフローチャートを概略的に示す図である。
【図３】本開示による、ユーザ機器（ＵＥ）が第１のタイプのネットワークから第２のタイプのネットワークに移るとき、前記ＵＥのロケーションを更新することの別の例のフローチャートを概略的に示す図である。
【図４】本開示によるユーザサブスクリプションノードの概略図を概略的に示す図である。
【発明を実施するための形態】
【００４８】
図１は、従来技術による、ユーザ機器（ＵＥ）が第１のタイプのネットワークから第２のタイプのネットワークに移るとき、前記ＵＥのロケーションを更新することの一例のフローチャート１を概略的に示す。
【００４９】
ここで、フローチャート１は、特定のＵＥ２が４Ｇネットワークから５Ｇネットワークに移る一例を指示する。したがって、ＵＥ２は、現在、４Ｇネットワークにアクティブに常駐しているが、代わりに５Ｇネットワークに移ることを決める。
【００５０】
第１のステップ７において、ＵＥ２は、５ＧネットワークにおけるＵＥ２の登録を要求するために、アクセスおよびモビリティ機能（ＡＭＦ）４に初期登録要求を送る。そのような登録要求は、４Ｇタイプから５ＧタイプへのＵＥ２の登録を更新するためのモビリティ登録更新と見なされ得る。
【００５１】
ＡＭＦ４は、その後、８において、ＵＥ２が４Ｇネットワークにおいて前にキャンピングしていたＭＭＥ３にコンテキストを要求し得る。そのような要求は、たとえば、５Ｇ規格においてすでに指定されているＮ２６インターフェース上で送られ得る。
【００５２】
後続のステップ９において、ＵＥ２とＡＭＦ４との間の許可要求、ならびに、ＡＭＦ４とＨＳＳ＋ＵＤＭ５との間の認証情報が実施される。ここで、ホームサブスクライバサーバ、すなわち４Ｇにおけるユーザサブスクリプションノード、ならびに、統合データ管理（ＵＤＭ）、すなわち５Ｇにおけるユーザサブスクリプションノードが、単一のエンティティによって備えられる。
【００５３】
参照番号１０、１１および１２で指示されるステップは、ＵＥ２が５Ｇネットワークに登録することが可能であることを保証するために実施される。
【００５４】
上記のステップが完了されると、１３において、ＵＥ２のロケーション変更をＭＭＥ３に指示するためのロケーション消去メッセージが、ＨＳＳ＋ＵＤＭ５からＭＭＥ３に送られる。その特定のメッセージは、１４において、ＭＭＥ３によって、ＨＳＳ＋ＵＤＭ５に向けて確認応答され得る。
【００５５】
最終ステップ１５において、ＡＭＦ４は、登録が受け付けられたことをＵＥ２に指示する、登録受付メッセージをＵＥ２に送り得る。
【００５６】
上記で識別されたケースでは、ＵＥ２がエボルブドパケットコア（ＥＰＣ）に登録され、５ＧＣに移る。次いで、ＵＥ２はＡＭＦ４に登録する。認証プロシージャの後に、新しいＡＭＦ４は、ＵＤＭビジネスロジックとサービスとを使用して、組合せＨＳＳ＋ＵＤＭ５に登録されなければならず、その新しいＡＭＦ４は、対応するサブスクリプションデータを入手し、サブスクリプションデータが修正されたときに通知されるようにサブスクライブする。次いで、ＨＳＳビジネスロジックは、ＵＥが１つのサービングノードにのみ登録されているままであるので、１３においてロケーション消去を、前のＭＭＥ３に送る必要がある。
【００５７】
図２は、本開示による、ユーザ機器（ＵＥ）が第１のタイプのネットワークから第２のタイプのネットワークに移るとき、前記ＵＥのロケーションを更新することの一例のフローチャート１０１を概略的に示す。
【００５８】
図では、同じ参照番号は、同じまたは同様の、機能または動作のために使用される。
【００５９】
図２は、ＵＥ２が５Ｇネットワークから４Ｇネットワークに移る状況を開示する。
【００６０】
第１のステップ１０４において、ＵＥ２は、４Ｇネットワークにアタッチされる、すなわち接続されることを要求するために、ＭＭＥに初期アタッチ／ＴＡＵ要求を送る。次いで、１０５において、コンテキスト要求が、ＭＭＥ３とＡＭＦ４との間で交換される。
【００６１】
後続のステップ１０７において、ＭＭＥ３は、第２のタイプの通信ネットワークによって備えられるユーザサブスクリプションノード、すなわち４Ｇ通信ネットワークによって備えられるＨＳＳ１０２に、ロケーション更新メッセージを送る。
【００６２】
次いで、ＨＳＳ１０２は、ＵＥ２が現在５Ｇネットワークに登録されていると決定し得る。そのような情報は、たとえば、ロケーション更新メッセージ中に含まれ得る。
【００６３】
次いで、参照番号１０８で指示されるように、ロケーション削除メッセージが送信され、確認される。これは、第１のタイプの通信ネットワークによって備えられるユーザサブスクリプションノード、すなわち５Ｇネットワークによって備えられるＵＤＭ１０３に、ＵＥ２に関するロケーション情報が削除されるべきであることを指示する。
【００６４】
後続のステップ１０９において、ＵＥ２が４Ｇネットワークに登録することを決めた理由とともに、ＵＤＭ１０３からＡＭＦ４に登録解除通知が送られる。参照番号１１０で指示されるように、このメッセージは確認応答され得る。
【００６５】
後続のステップ１１１において、ＡＭＦ４からＵＤＭ１０３にＳＤＭアンサブスクライブメッセージが送られる。
【００６６】
なおさらに、１１２において、ＨＳＳ１０２からＭＭＥ３にロケーション更新確認応答が送られ、最終的に、１１３において、受付メッセージが次いでＵＥ２に送られる。
【００６７】
図３は、本開示による、ユーザ機器（ＵＥ）が第１のタイプのネットワークから第２のタイプのネットワークに移るとき、前記ＵＥのロケーションを更新することの別の例のフローチャート２０１を概略的に示す。
【００６８】
ここで、フローチャート２０１は、ＵＥ２が４Ｇネットワークから５Ｇネットワークに移ることを決める一例を示す。図３に示されているステップは、図２に示されているステップと同様であり、ここでは以下で手短に要約される。
【００６９】
第１のステップ２０２において、ＵＥ２からＡＭＦ４に登録要求が送られる。コンテキスト要求２０３が、ＡＭＦ４とＭＭＥ３との間で交換される。次いで、許可要求がＡＭＦ４とＵＥ２との間で取り組まれ、認証情報がＡＭＦ４とＵＤＭ１０３との間で交換される。次に、ＵＥＣＭ登録が、ＡＭＦ４とＵＤＭ１０３との間で交換される。次いで、参照番号２０６で指示されるように、ロケーション削除メッセージがＨＳＳ１０２とＵＤＭ１０３との間で交換される。なおさらに、入手機能２０７ならびにサブスクリプション機能２０８が、ＡＭＦ４とＵＤＭ１０３との間で交換される。
【００７０】
次いで、２０９において、ＨＳＳ１０２からＭＭＥ３にロケーション消去メッセージが送られ、その後、確認応答される。最終的に、２１０において、ＡＭＦ４からＵＥ２に登録受付メッセージが送られる。
【００７１】
図４は、本開示によるユーザサブスクリプションノードの概略図を概略的に示す。
【００７２】
ユーザサブスクリプションノード３０１は、第２のタイプの通信ネットワークにおいて動作可能であるように構成され、ユーザ機器（ＵＥ）が第１のタイプの通信ネットワークから第２のタイプの通信ネットワークに移るとき、前記ＵＥのロケーションを更新するために構成される。
【００７３】
ユーザサブスクリプションノード３０１は、
−  受信端末３０５を介して、前記ＵＥが前記第２のタイプの通信ネットワークへの登録を要求したという指示を受信するために構成された受信機器３０２と、
−  前記ＵＥが前記第１のタイプの通信ネットワークに登録されていると決定するために構成されたプロセス機器３０６と、
−  送信端末３０４を介して、前記ＵＥに関するロケーション情報を削除するためのロケーション削除メッセージを、前記第１のタイプの通信ネットワークによって備えられるユーザサブスクリプションノードに送信するために構成された送信機器３０３と
を備える。
【００７４】
ユーザサブスクリプションノード３０１は、メモリ３０８と通信しているプロセッサ３０７をさらに備え、前記プロセッサは、バスを介して、前記受信機器３０２と、前記プロセス機器３０６と、前記送信機器３０３とに接続される。
【００７５】
本開示は、ネットワークにおける異なるベンダーからのＨＳＳとＵＤＭとの共存を可能にし、依然として、５ＧＣからＥＰＳへの／からのＵＥのモビリティ（４Ｇと５Ｇとの間のＩＲＡＴ）をサポートすることが可能である、ソリューションを提案する。
【００７６】
本開示は、５ＧＣからＥＰＣへのモビリティがあるとき、ＨＳＳからＵＤＭへの新しい対話として、およびＥＰＣから５ＧＣへのモビリティがあるとき、ＵＤＭからＨＳＳへの新しい対話として、ロケーション削除を送ることを提案する。
【００７７】
本開示は、さらに、シグナリングを最適化するために、このロケーション削除を送る前に、このロケーション削除がいつ必要とされるかを決定することを提案する。
【００７８】
本開示は、４Ｇ／５Ｇ  ＩＲＡＴモビリティ使用事例の場合、詳細には、Ｎ２６インターフェースがＡＭＦとＭＭＥとの間に存在する場合、異なるベンダーから同じネットワークにおいて５ＧＣ  ＵＤＭとＥＰＣ  ＨＳＳの両方を配置することが可能であるための、ＨＳＳとＵＤＭとの間の通信を開示する。
【００７９】
５ＧＣからＥＰＣへのモビリティが以下で説明される。
【００８０】
コールフローは従来技術の使用事例と同様であるが、ＨＳＳがＭＭＥからロケーション更新を受信したとき、ＨＳＳはＵＤＭにおけるロケーション情報を削除し得る。反対のモビリティ、すなわちＥＰＣから５ＧＣへ、が、以下でより詳細に説明される。これは、本開示が通信ネットワークにおいてどのように実装され得るかの一例にすぎない。
【００８１】
１．  ＵＤＭは、ＳＵＰＩおよび３ＧＰＰ登録ＡＭＦ情報を含む、Ｎｕｄｍ＿ＵＥＣＭ＿Ｒｅｇｉｓｔｒａｔｉｏｎ要求をＡＭＦから受信する。このメッセージは理解され、処理されるようにＡＭＦ登録ロジックに受け渡される。検査メッセージは、完全および適格である。ＵＤＲからサブスクリプションデータを取り出す。
【００８２】
最適化として、ＵＤＭは、このユーザが同じく４Ｇユーザであるかどうかに関する情報をＵＤＲから入手することができる。この情報は、異なる手段によって提供され得る。
−  ５ＧＣ  ＵＤＲにおけるサブスクリプションプロファイルは、このユーザが同様に４Ｇユーザであるかどうかの情報を含むように規定される。これは、オペレータによって知られており、プロビジョニングにおいて要求され得る。
−  ＵＤＭは、このサブスクライバ情報をＥＰＣ  ＵＤＲから読み取ることを試みる。これは、ＵＤＭが、極めて不都合であるＵｄ／ＬＤＡＰインターフェースを実装することを必要とし得る。
−  ５ＧＣ  ＵＤＲおよびＥＰＣ  ＵＤＲのシングルベンダーの場合、この「コンバージドＤＢ」は、この情報を容易に含み得る、コンソリデートされたサブスクリプションプロファイルを含むことができる（すなわち、５ＧＣごとに１つのサブスクリプションプロファイルと、ＥＰＣごとに他のサブスクリプションプロファイルとが存在するのではなく、ユーザごとに１つのサブスクリプションプロファイルのみが存在する）。既存の４Ｇユーザの場合、プロファイルは、新しいデータを含む５ＧＣに更新され、次いで、５ＧＣデータが読み取られるとき、このサブスクリプションが４Ｇ対応であるかどうかに関する情報を追加され得る。
【００８３】
ＳＵＰＩに基づいて、受信されたサブスクリプションおよび入力情報は、対応する許可検査を実施する。
【００８４】
受信されたＡＭＦ登録情報は、ＵＤＲに記憶され、もしあれば、前の情報と入れ替わり、登録が受け付けられる。
【００８５】
記憶されたＡＭＦ登録情報があった場合、Ｎｕｄｍ＿ＵＥＣＭ＿Ｄｅｒｅｇｉｓｔｒａｔｉｏｎ＿Ｎｏｔｉｆｉｃａｔｉｏｎが古いＡＭＦに送られる。
【００８６】
２．  ４Ｇ／５Ｇ  ＩＷＫの必要があり、ユーザが、（ＵＤＲから取り出された）ＡＭＦ登録されていない場合、新しいロケーション削除動作が、ＨＳＳに送られ得る。
【００８７】
４Ｇ／５Ｇインターワーキングの必要は、以下の異なる手段によってＵＤＭによって知られ得る。
−  それは、設定され得る
−  ＨＳＳとＵＤＭとの間の対話が、新しいＳＢＡサービスによって提供され得る。
〇  ＨＳＳは、Ｎｈｓｓ＿ＥｐｃＩｎｔｅｒｗｏｒｋｉｎｇ  ＳＢＡサービスを生成し、Ｎｈｓｓ＿ＥｐｃＩｎｔｅｒｗｏｒｋｉｎｇ  ＳＢＡサービスは、ＮＲＦに登録され、次いで、ＵＤＭによって発見／選択される。サービスが存在する（すなわち、登録される）場合、ＩＷＫが実行されるものとする。
〇  ＵＤＭは、Ｎｕｄｍ＿５ｇＩｎｔｅｒｗｏｒｋｉｎｇ  ＳＢＡサービスを生成し、Ｎｕｄｍ＿５ｇＩｎｔｅｒｗｏｒｋｉｎｇ  ＳＢＡサービスは、ＮＲＦに登録され、次いで、ＨＳＳによって発見／選択される。サービスが存在する（すなわち、登録される）場合、ＩＷＫが実行されるものとする。
このステップでは、ＩＷＫの必要がある場合、または、ユーザが同様に４Ｇユーザとして規定される場合にのみ、ＵＤＭからＨＳＳに送られるロケーション削除メッセージ／指示が必要とされることに留意されたい。ユーザが５Ｇユーザのみとして規定され得ることを考慮に入れる。次いで、シグナリング最適化として、ＵＤＭは、ユーザが４Ｇ対応であるかどうかを識別するために、ユーザプロファイルを検査し得る。
【００８８】
３．  登録使用事例の残りは、従来技術として実行される（Ｎｕｄｍ入手およびＮｕｄｍサブスクリプション）。
【００８９】
本開示は、以下の利点を提供する。
−  本開示は、ネットワークにおける異なるベンダーからのＨＳＳとＵＤＭとの共存を可能にし、依然として、５ＧＣからＥＰＳへの／からのＵＥのモビリティをサポートすることが可能である、ソリューションを規定する。
−  本開示は、ユーザが４Ｇサブスクリプションを有するとき、ＨＳＳのみと対話するためのシグナリング最適化を含む。
【００９０】
第１の実施形態では、システムは、第１のサブスクライバノードをもつ第１の５Ｇコアネットワークと、第２のサブスクライバノードを備える第２の４Ｇ  ＥＰＣネットワークと、第２のネットワークに接続されたＵＥとを備える。第１のサブスクライバノードは、４Ｇから５ＧへのＵＥのＩＲＡＴハンドオーバの場合、以下のステップを実施する。
−  第１のサブスクライバノードは、５Ｇコアネットワークにおける登録のために、ＵＥの登録メッセージを受信する、
−  第１のサブスクライバノードは、サブスクライバが４Ｇ  ＥＰＣネットワークサブスクリプションを有するかどうか、または、４Ｇ／５Ｇ  ＩＷＫが必要とされることを検査する、
−  確証した場合、第１のサブスクライバノードは第２のサブスクライバノードにロケーション削除メッセージを送る。
【００９１】
第２の実施形態では、システムは、第１のサブスクライバノードをもつ第１の５Ｇコアネットワークと、第２のサブスクライバノードを備える第２の４Ｇ  ＥＰＣネットワークと、第１のネットワークに接続されたＵＥとを備える。第２のサブスクライバノードは、５Ｇから４ＧへのＵＥのＩＲＡＴハンドオーバの場合、以下のステップを実施する。
−  第２のサブスクライバノードは、ＵＥのためのロケーション更新メッセージを受信する、
−  第２のサブスクライバノードは、第１のサブスクライバノードにロケーション削除メッセージを送る。
【００９２】
添付の図面を参照しながら、次に、本開示によって企図される実施形態がより詳細に説明される。しかしながら、他の実施形態が、本明細書で開示される主題の範囲内に含まれている。開示される主題は、本明細書に記載される実施形態にのみ限定されるものとして解釈されるべきではない。むしろ、図示の実施形態は、例として、主題の範囲を当業者に伝えるように提供される。
【図１】
2021533636.tif 000003
【図２】
2021533636.tif 000004
【図３】
2021533636.tif 000005
【図４】
2021533636.tif 000006
【手続補正書】
【提出日】令和2年5月29日(2020.5.29)
【手続補正１】
【補正対象書類名】明細書
【補正対象項目名】全文
【補正方法】変更
【補正の内容】
【発明の詳細な説明】
【技術分野】
【０００１】
説明
本開示は、一般に、通信の分野に関し、より詳細には、第１のタイプの通信ネットワークに登録されているＵＥが、第２のタイプの通信ネットワークにアタッチするための要求を開始する状況に関する。
【背景技術】
【０００２】
３ＧＰＰ  ＳＡ２は、いくつかの組み合わせられた機能に基づいて、第５世代システム（５ＧＳ）とエボルブドパケットシステム（ＥＰＳ）とのインターワーキングのためのアーキテクチャを規定した。移行目的で、ホームサブスクライバサーバ＋統合データ管理（ＨＳＳ＋ＵＤＭ）組合せが、導入され、エボルブドパケットコア（ＥＰＣ）と５ＧＣネットワークとの間のインターワーキングをサポートするために指定された組合せ機能のうちの１つとして規定される。
【０００３】
特定のユーザ機器（ＵＥ）が５ＧからＥＰＳに移る場合、ＵＥは初期アタッチ／ＴＡＵ要求をモビリティ管理エンティティ（ＭＭＥ）に送り、ＭＭＥは、ＵＥがキャンピングしていた／しているアクセスおよびモビリティ管理機能（ＡＭＦ）に、ＵＥコンテキストを要求する。そのような要求は、ＡＭＦとＭＭＥとの間のＮ２６インターフェースを伴い得る。認証プロセスの後に、ＭＭＥは、旧来、ＥＰＣにおいて行われるように、ＨＳＳにおいてＵＥのロケーションを更新する必要がある。
【０００４】
その後、ＨＳＳ＋ＵＤＭ組合せは、ＵＤＭビジネスロジックを実行する必要があり、前のＡＭＦを登録解除する必要がある。それは、ＡＭＦが登録解除されたことをＡＭＦに知らせ、ＡＭＦは、次いで、サブスクリプションデータ修正変更からアンサブスクライブする。
【０００５】
本開示は、特定のＵＥがＥＰＣに登録され、５ＧＣに移る、逆シナリオをも対象とする。その場合、ＵＥは、最初に、登録要求をＡＭＦに送る。認証プロシージャの後に、新しいＡＭＦは、ＵＤＭビジネスロジックとサービスとを使用して、ＨＳＳ＋ＵＤＭ組合せに登録されなければならない。その新しいＡＭＦは、対応するサブスクリプションデータをフェッチし、サブスクリプションデータが修正されたときに通知されるようにサブスクライブする。
【０００６】
次いで、ＨＳＳビジネスロジックは、ＵＥが１つのサービングノードにのみ登録されているままであるので、ロケーション消去メッセージを、前のＭＭＥに送る必要がある。
【０００７】
上記で説明された状況の欠点のうちの１つは、ＨＳＳおよびＵＤＭのための設計選択において限られたフレキシビリティしかないことである。
【発明の概要】
【０００８】
ユーザ機器（ＵＥ）が第１のタイプの通信ネットワークから第２のタイプの通信ネットワークに移るとき、前記ＵＥのロケーションを更新するための方法を達成することが有利であり、本方法は、ホームサブスクライバサーバ（ＨＳＳ）および統合データ管理（ＵＤＭ）のための設計選択、実装選択、および展開選択におけるより多くのフレキシビリティを提供する。
【０００９】
設計選択、実装選択、および展開選択におけるより多くのフレキシビリティを提供する、ＨＳＳおよびＵＤＭのようなユーザサブスクリプションノードを達成することが、さらに有利であろう。
【００１０】
本開示の第１の態様では、ユーザ機器（ＵＥ）が第１のタイプの通信ネットワークから、前記第１のタイプの通信ネットワークとは異なる第２のタイプの通信ネットワークに移るとき、前記ＵＥのロケーションを更新するための方法が提供される。
【００１１】
本方法は、
−  前記第２のタイプの通信ネットワークによって備えられるユーザサブスクリプションノードによって、前記ＵＥが前記第２のタイプの通信ネットワークへの登録を要求したという指示を受信するステップと、
−  前記第２のタイプの通信ネットワークによって備えられる前記ユーザサブスクリプションノードによって、前記ＵＥが前記第１のタイプの通信ネットワークに登録されていると決定するステップと、
−  前記第２のタイプの通信ネットワークによって備えられる前記ユーザサブスクリプションノードによって、前記ＵＥに関するロケーション情報を、前記第１のタイプの通信ネットワークによって備えられるユーザサブスクリプションノードによって削除するためのロケーション削除メッセージを、前記第１のタイプの通信ネットワークによって備えられる前記ユーザサブスクリプションノードに送信するステップと
を含み、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである
のうちのいずれかである。
【００１２】
ＨＳＳとＵＤＭとが同じベンダーからのものではないとき、知られている従来技術において問題が起こり得ることが見識のうちの１つであった。現在の説明されるアーキテクチャは、ＵＤＭおよびＨＳＳのためのマルチベンダーベース手法を可能にしない。
【００１３】
本開示は、ＨＳＳとＵＤＭとがスプリットされ、たとえば、異なるベンダーによって提供される、概念を対象とする。本開示によれば、ユーザサブスクリプションノードがＨＳＳまたはＵＤＭとして実装され得ることに留意されたい。
【００１４】
より詳細には、本開示は、異なるタイプの通信ネットワークに常駐する２つのユーザサブスクリプションノード間の、ユーザサブスクリプションノードの各々のための設計選択におけるより多くのフレキシビリティを提供するための、通信原理を開示する。
【００１５】
本開示の態様のうちの１つは、前記第２のタイプの通信ネットワークによって備えられるユーザサブスクリプションノードが、前記ＵＥに関するロケーション情報を削除するためのロケーション削除メッセージを、前記第１のタイプの通信ネットワークによって備えられるユーザサブスクリプションノードに送信することである。そのようなメッセージは、第１のタイプの通信ネットワークによって備えられるユーザサブスクリプションノードが、ＵＥに関するロケーション情報を削除することを可能にする。
【００１６】
したがって、ロケーション削除メッセージは通信ネットワーク上で送られる。
【００１７】
上記で説明された方法は、ユーザ機器（ＵＥ）が５Ｇネットワークから４Ｇネットワークに移るときに適用可能であるが、ＵＥが４Ｇネットワークから５Ｇネットワークに移るときにも適用可能であることに留意されたい。
【００１８】
一例では、決定するステップは、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されたという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかを含む。
【００１９】
第２のタイプの通信ネットワークによって備えられるユーザサブスクリプションノードが、ロケーション削除メッセージを、第１のタイプの通信ネットワークによって備えられるユーザサブスクリプションノードに送信することが必要とされるかどうかを最初に決定し得ることに留意されたい。
【００２０】
これは、ＵＥが４Ｇネットワークから５Ｇネットワークに移ることに関して説明されるが、その逆の、ＵＥが５Ｇネットワークから４Ｇネットワークに移るシナリオにおいても適用可能であり得る。
【００２１】
ＵＥのサブスクリプションプロファイルが、サブスクライバデータベース、たとえば、統合データリポジトリ（ＵＤＲ）中に含まれていることがある。サブスクリプションプロファイルは、この特定のＵＥが同じく４Ｇユーザであるかどうかの情報を含み得る。これは、ネットワークのオペレータによって知られていることがあり、プロビジョニングにおいて要求され得る。
【００２２】
３ＧＰＰは、４ＧユーザデータがＨＳＳに記憶され、５ＧユーザデータがＵＤＭに記憶されることを述べていることに留意されたい。随意に、ＵＤＭ＋５Ｇ  ＵＤＲとＨＳＳ＋４Ｇ  ＵＤＲとを分離することが可能であるが、これは、データがビジネスロジックから切り離される展開オプションである。
【００２３】
別のオプションは、ＵＤＭが直接、この情報を、ＥＰＣ  ＵＤＲ中のサブスクライバ情報から読み取ることを試みることである。これは、ＵＤＭが、ＵＤＲにアクセスするためのＵｄ／ＬＤＡＰインターフェースを実装することを必要とし得る。
【００２４】
別の例では、前記第２のタイプの通信ネットワークによって備えられる前記ユーザサブスクリプションノードと、前記第１のタイプの通信ネットワークによって備えられる前記ユーザサブスクリプションノードが両方とも、コンバージドデータベースへのアクセスを有し、前記コンバージドデータベースが、ＵＥのためのコンソリデートされたサブスクリプションプロファイルを備え、決定する前記ステップは、
−  前記第２のタイプの通信ネットワークによって備えられる前記ユーザサブスクリプションノードによって、前記コンバージドデータベースから、前記ＵＥが前記第１のタイプの通信ネットワークに登録されているという指示を取り出すこと
を含む。
【００２５】
コンバージドデータベースは、たとえば、コンバージドサブスクリプションデータリポジトリである。
【００２６】
上記の例は、コンバージドデータベースがＵＥのためのサブスクリプションプロファイルを備える概念を対象とする。各ＵＥは、コンバージドデータベースに記憶された単一のサブスクリプションプロファイルを有する。単一のサブスクリプションプロファイルは、５Ｇサブスクリプションに有効であるが、４Ｇサブスクリプションにも有効である。したがって、ＵＥは、４Ｇサブスクリプションプロファイルならびに５Ｇサブスクリプションプロファイルをもはや有しない。これらは、単一のサブスクリプションプロファイルに組み合わせられる。コンバージドデータベースは、４Ｇネットワーク、すなわちＨＳＳと、５Ｇネットワーク、すなわちＵＤＭの両方にとってアクセス可能である。
【００２７】
さらなる一例では、本方法は、
−  前記第２のタイプの通信ネットワークによって備えられる前記ユーザサブスクリプションノードによって、前記第１のタイプの通信によって備えられる前記ユーザサブスクリプションノードから、前記ＵＥに関するロケーション情報の削除を確認応答する確認応答メッセージを受信するステップ
をさらに含む。
【００２８】
上記のことの利点は、初期ユーザサブスクリプションノードが、ロケーション情報が実際に削除されたということに気づかされることである。
【００２９】
別の例では、決定するステップは、
−  前記ＵＥに関するロケーション情報を、前記第１のタイプの通信ネットワークによって備えられる前記ユーザサブスクリプションノードから削除する必要があることを、前記必要が、前記第２のタイプの通信ネットワークによって備えられる前記ユーザサブスクリプションノードにおいてあらかじめ設定されたと決定することによって、決定すること
をさらに含む。
【００３０】
ユーザサブスクリプションノードが、ＵＥに関するロケーション情報を削除する必要があるかどうかを最初に決定することが、有益であり得る。すなわち、ロケーション情報の削除は、たとえば、４Ｇ／５Ｇインターワーキングの必要があるとき、重要であり得る。このようにして、異なる通信ネットワークが一緒に動作し得る。
【００３１】
また別の例では、前記第１のタイプの通信ネットワークによって備えられるユーザサブスクリプションノードが、ネットワーク間インターワーキングサービスを提供し、決定する前記ステップが、
−  前記第２のタイプの通信ネットワークによって備えられる前記ユーザサブスクリプションノードによって、前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記第２のタイプの通信ネットワークによって備えられる前記ユーザサブスクリプションノードによって、前記ネットワーク間インターワーキングサービスを使用することと
をさらに含む。
【００３２】
また別の例では、送信するステップは、
−  前記第２のタイプの通信ネットワークによって備えられる前記ユーザサブスクリプションノードによって、コアネットワーク間インターフェース上で前記ロケーション削除メッセージを送信すること
を含む。
【００３３】
本開示の第２の態様では、第２のタイプの通信ネットワークにおいて動作可能であるように構成され、ユーザ機器（ＵＥ）が第１のタイプの通信ネットワークから、前記第１のタイプの通信ネットワークとは異なる第２のタイプの通信ネットワークに移るとき、前記ＵＥのロケーションを更新するために構成された、ユーザサブスクリプションノードであって、
−  前記ＵＥが前記第２のタイプの通信ネットワークへの登録を要求したという指示を受信するために構成された受信機器と、
−  前記ＵＥが前記第１のタイプの通信ネットワークに登録されていると決定するために構成されたプロセス機器と、
−  前記第１のタイプの通信ネットワークによって備えられるユーザサブスクリプションノードによって、前記ＵＥに関するロケーション情報を削除するためのロケーション削除メッセージを、前記第１のタイプの通信ネットワークによって備えられる前記ユーザサブスクリプションノードに送信するために構成された送信機器と、
を備えるユーザサブスクリプションノードが提供され、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである。
【００３４】
方法である、本開示の第１の態様に関して述べられたような利点は、ユーザサブスクリプションノードである、本開示の第２の態様に関しても有効であることに留意されたい。
【００３５】
さらに、本開示によるサブスクリプションノードは、ＨＳＳおよびＵＤＭのうちのいずれかであり得ることに留意されたい。
【００３６】
さらに、本開示の第２の態様に関して開示される機器は、モジュール、ユニット、デバイス、または同様のものと見なされ得ることが諒解される。
【００３７】
一例では、プロセス機器は、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されたという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかを行うためにさらに構成される。
【００３８】
さらなる例では、前記第２のタイプの通信ネットワークによって備えられる前記ユーザサブスクリプションノードと、前記第１のタイプの通信ネットワークによって備えられる前記ユーザサブスクリプションノードが両方とも、コンバージドデータベースにアクセスするように構成され、前記コンバージドデータベースが、ＵＥのためのコンソリデートされたサブスクリプションプロファイルを備え、前記プロセス機器は、
−  前記コンバージドデータベースから、前記ＵＥが前記第１のタイプの通信ネットワークに登録されているという指示を取り出すこと
をさらに含む。
【００３９】
別の例では、前記ユーザサブスクリプションノードは、
−  前記第１のタイプの通信によって備えられる前記ユーザサブスクリプションノードから、前記ＵＥに関するロケーション情報の削除を確認応答する確認応答メッセージを受信するために構成された受信機器
をさらに備える。
【００４０】
一例では、ユーザサブスクリプションノードは、
−  前記ＵＥに関するロケーション情報を、前記第１のタイプの通信ネットワークによって備えられる前記ユーザサブスクリプションノードから削除する必要があることを、前記必要が、前記第２のタイプの通信ネットワークによって備えられる前記ユーザサブスクリプションノードにおいてあらかじめ設定されたと決定することによって、決定すること
をさらに含む。
【００４１】
さらなる例では、前記第１のタイプの通信ネットワークによって備えられるユーザサブスクリプションノードが、ネットワーク間インターワーキングサービスを提供するために構成され、前記プロセス機器が、
−  前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記ネットワーク間インターワーキングサービスを使用することと
を行うためにさらに構成される。
【００４２】
一例では、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークによって備えられる前記ユーザサブスクリプションノードがホームサブスクライバサーバノードである、
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークによって備えられる前記ユーザサブスクリプションノードがユーザデータ管理ノードである
のうちのいずれかである。
【００４３】
また別の例では、送信機器が、コアネットワーク間インターフェース上で前記ロケーション削除メッセージを送信するためにさらに構成される。
【００４４】
本開示の第３の態様では、第２のタイプの通信ネットワークによって備えられるユーザサブスクリプションノードによって実行されたとき、前記ユーザサブスクリプションノードに、上記で与えられたような例のうちのいずれかに記載の方法を実施させる命令を記憶したコンピュータ可読媒体を備えるコンピュータプログラム製品が提供される。
【００４５】
本開示の上述のおよび他の特徴および利点は、添付の図面を参照して以下の説明から最も良く理解されるであろう。図面において、同様の参照番号は、同等の部分あるいは同等のまたは匹敵する機能または動作を実施する部分を示す。
【図面の簡単な説明】
【００４６】
【図１】従来技術による、ユーザ機器（ＵＥ）が第１のタイプのネットワークから第２のタイプのネットワークに移るとき、前記ＵＥのロケーションを更新することの一例のフローチャートを概略的に示す図である。
【図２】本開示による、ユーザ機器（ＵＥ）が第１のタイプのネットワークから第２のタイプのネットワークに移るとき、前記ＵＥのロケーションを更新することの一例のフローチャートを概略的に示す図である。
【図３】本開示による、ユーザ機器（ＵＥ）が第１のタイプのネットワークから第２のタイプのネットワークに移るとき、前記ＵＥのロケーションを更新することの別の例のフローチャートを概略的に示す図である。
【図４】本開示によるユーザサブスクリプションノードの概略図を概略的に示す図である。
【発明を実施するための形態】
【００４７】
図１は、従来技術による、ユーザ機器（ＵＥ）が第１のタイプのネットワークから第２のタイプのネットワークに移るとき、前記ＵＥのロケーションを更新することの一例のフローチャート１を概略的に示す。
【００４８】
ここで、フローチャート１は、特定のＵＥ２が４Ｇネットワークから５Ｇネットワークに移る一例を指示する。したがって、ＵＥ２は、現在、４Ｇネットワークにアクティブに常駐しているが、代わりに５Ｇネットワークに移ることを決める。
【００４９】
第１のステップ７において、ＵＥ２は、５ＧネットワークにおけるＵＥ２の登録を要求するために、アクセスおよびモビリティ機能（ＡＭＦ）４に初期登録要求を送る。そのような登録要求は、４Ｇタイプから５ＧタイプへのＵＥ２の登録を更新するためのモビリティ登録更新と見なされ得る。
【００５０】
ＡＭＦ４は、その後、８において、ＵＥ２が４Ｇネットワークにおいて前にキャンピングしていたＭＭＥ３にコンテキストを要求し得る。そのような要求は、たとえば、５Ｇ規格においてすでに指定されているＮ２６インターフェース上で送られ得る。
【００５１】
後続のステップ９において、ＵＥ２とＡＭＦ４との間の許可要求、ならびに、ＡＭＦ４とＨＳＳ＋ＵＤＭ５との間の認証情報が実施される。ここで、ホームサブスクライバサーバ、すなわち４Ｇにおけるユーザサブスクリプションノード、ならびに、統合データ管理（ＵＤＭ）、すなわち５Ｇにおけるユーザサブスクリプションノードが、単一のエンティティによって備えられる。
【００５２】
参照番号１０、１１および１２で指示されるステップは、ＵＥ２が５Ｇネットワークに登録することが可能であることを保証するために実施される。
【００５３】
上記のステップが完了されると、１３において、ＵＥ２のロケーション変更をＭＭＥ３に指示するためのロケーション消去メッセージが、ＨＳＳ＋ＵＤＭ５からＭＭＥ３に送られる。その特定のメッセージは、１４において、ＭＭＥ３によって、ＨＳＳ＋ＵＤＭ５に向けて確認応答され得る。
【００５４】
最終ステップ１５において、ＡＭＦ４は、登録が受け付けられたことをＵＥ２に指示する、登録受付メッセージをＵＥ２に送り得る。
【００５５】
上記で識別されたケースでは、ＵＥ２がエボルブドパケットコア（ＥＰＣ）に登録され、５ＧＣに移る。次いで、ＵＥ２はＡＭＦ４に登録する。認証プロシージャの後に、新しいＡＭＦ４は、ＵＤＭビジネスロジックとサービスとを使用して、組合せＨＳＳ＋ＵＤＭ５に登録されなければならず、その新しいＡＭＦ４は、対応するサブスクリプションデータを入手し、サブスクリプションデータが修正されたときに通知されるようにサブスクライブする。次いで、ＨＳＳビジネスロジックは、ＵＥが１つのサービングノードにのみ登録されているままであるので、１３においてロケーション消去を、前のＭＭＥ３に送る必要がある。
【００５６】
図２は、本開示による、ユーザ機器（ＵＥ）が第１のタイプのネットワークから第２のタイプのネットワークに移るとき、前記ＵＥのロケーションを更新することの一例のフローチャート１０１を概略的に示す。
【００５７】
図では、同じ参照番号は、同じまたは同様の、機能または動作のために使用される。
【００５８】
図２は、ＵＥ２が５Ｇネットワークから４Ｇネットワークに移る状況を開示する。
【００５９】
第１のステップ１０４において、ＵＥ２は、４Ｇネットワークにアタッチされる、すなわち接続されることを要求するために、ＭＭＥに初期アタッチ／ＴＡＵ要求を送る。次いで、１０５において、コンテキスト要求が、ＭＭＥ３とＡＭＦ４との間で交換される。
【００６０】
後続のステップ１０７において、ＭＭＥ３は、第２のタイプの通信ネットワークによって備えられるユーザサブスクリプションノード、すなわち４Ｇ通信ネットワークによって備えられるＨＳＳ１０２に、ロケーション更新メッセージを送る。
【００６１】
次いで、ＨＳＳ１０２は、ＵＥ２が現在５Ｇネットワークに登録されていると決定し得る。そのような情報は、たとえば、ロケーション更新メッセージ中に含まれ得る。
【００６２】
次いで、参照番号１０８で指示されるように、ロケーション削除メッセージが送信され、確認される。これは、第１のタイプの通信ネットワークによって備えられるユーザサブスクリプションノード、すなわち５Ｇネットワークによって備えられるＵＤＭ１０３に、ＵＥ２に関するロケーション情報が削除されるべきであることを指示する。
【００６３】
後続のステップ１０９において、ＵＥ２が４Ｇネットワークに登録することを決めた理由とともに、ＵＤＭ１０３からＡＭＦ４に登録解除通知が送られる。参照番号１１０で指示されるように、このメッセージは確認応答され得る。
【００６４】
後続のステップ１１１において、ＡＭＦ４からＵＤＭ１０３にＳＤＭアンサブスクライブメッセージが送られる。
【００６５】
なおさらに、１１２において、ＨＳＳ１０２からＭＭＥ３にロケーション更新確認応答が送られ、最終的に、１１３において、受付メッセージが次いでＵＥ２に送られる。
【００６６】
図３は、本開示による、ユーザ機器（ＵＥ）が第１のタイプのネットワークから第２のタイプのネットワークに移るとき、前記ＵＥのロケーションを更新することの別の例のフローチャート２０１を概略的に示す。
【００６７】
ここで、フローチャート２０１は、ＵＥ２が４Ｇネットワークから５Ｇネットワークに移ることを決める一例を示す。図３に示されているステップは、図２に示されているステップと同様であり、ここでは以下で手短に要約される。
【００６８】
第１のステップ２０２において、ＵＥ２からＡＭＦ４に登録要求が送られる。コンテキスト要求２０３が、ＡＭＦ４とＭＭＥ３との間で交換される。次いで、許可要求がＡＭＦ４とＵＥ２との間で取り組まれ、認証情報がＡＭＦ４とＵＤＭ１０３との間で交換される。次に、ＵＥＣＭ登録が、ＡＭＦ４とＵＤＭ１０３との間で交換される。次いで、参照番号２０６で指示されるように、ロケーション削除メッセージがＨＳＳ１０２とＵＤＭ１０３との間で交換される。なおさらに、入手機能２０７ならびにサブスクリプション機能２０８が、ＡＭＦ４とＵＤＭ１０３との間で交換される。
【００６９】
次いで、２０９において、ＨＳＳ１０２からＭＭＥ３にロケーション消去メッセージが送られ、その後、確認応答される。最終的に、２１０において、ＡＭＦ４からＵＥ２に登録受付メッセージが送られる。
【００７０】
図４は、本開示によるユーザサブスクリプションノードの概略図を概略的に示す。
【００７１】
ユーザサブスクリプションノード３０１は、第２のタイプの通信ネットワークにおいて動作可能であるように構成され、ユーザ機器（ＵＥ）が第１のタイプの通信ネットワークから第２のタイプの通信ネットワークに移るとき、前記ＵＥのロケーションを更新するために構成される。
【００７２】
ユーザサブスクリプションノード３０１は、
−  受信端末３０５を介して、前記ＵＥが前記第２のタイプの通信ネットワークへの登録を要求したという指示を受信するために構成された受信機器３０２と、
−  前記ＵＥが前記第１のタイプの通信ネットワークに登録されていると決定するために構成されたプロセス機器３０６と、
−  送信端末３０４を介して、前記ＵＥに関するロケーション情報を削除するためのロケーション削除メッセージを、前記第１のタイプの通信ネットワークによって備えられるユーザサブスクリプションノードに送信するために構成された送信機器３０３と
を備える。
【００７３】
ユーザサブスクリプションノード３０１は、メモリ３０８と通信しているプロセッサ３０７をさらに備え、前記プロセッサは、バスを介して、前記受信機器３０２と、前記プロセス機器３０６と、前記送信機器３０３とに接続される。
【００７４】
本開示は、ネットワークにおける異なるベンダーからのＨＳＳとＵＤＭとの共存を可能にし、依然として、５ＧＣからＥＰＳへの／からのＵＥのモビリティ（４Ｇと５Ｇとの間のＩＲＡＴ）をサポートすることが可能である、ソリューションを提案する。
【００７５】
本開示は、５ＧＣからＥＰＣへのモビリティがあるとき、ＨＳＳからＵＤＭへの新しい対話として、およびＥＰＣから５ＧＣへのモビリティがあるとき、ＵＤＭからＨＳＳへの新しい対話として、ロケーション削除を送ることを提案する。
【００７６】
本開示は、さらに、シグナリングを最適化するために、このロケーション削除を送る前に、このロケーション削除がいつ必要とされるかを決定することを提案する。
【００７７】
本開示は、４Ｇ／５Ｇ  ＩＲＡＴモビリティ使用事例の場合、詳細には、Ｎ２６インターフェースがＡＭＦとＭＭＥとの間に存在する場合、異なるベンダーから同じネットワークにおいて５ＧＣ  ＵＤＭとＥＰＣ  ＨＳＳの両方を配置することが可能であるための、ＨＳＳとＵＤＭとの間の通信を開示する。
【００７８】
５ＧＣからＥＰＣへのモビリティが以下で説明される。
【００７９】
コールフローは従来技術の使用事例と同様であるが、ＨＳＳがＭＭＥからロケーション更新を受信したとき、ＨＳＳはＵＤＭにおけるロケーション情報を削除し得る。反対のモビリティ、すなわちＥＰＣから５ＧＣへ、が、以下でより詳細に説明される。これは、本開示が通信ネットワークにおいてどのように実装され得るかの一例にすぎない。
【００８０】
１．  ＵＤＭは、ＳＵＰＩおよび３ＧＰＰ登録ＡＭＦ情報を含む、Ｎｕｄｍ＿ＵＥＣＭ＿Ｒｅｇｉｓｔｒａｔｉｏｎ要求をＡＭＦから受信する。このメッセージは理解され、処理されるようにＡＭＦ登録ロジックに受け渡される。検査メッセージは、完全および適格である。ＵＤＲからサブスクリプションデータを取り出す。
【００８１】
最適化として、ＵＤＭは、このユーザが同じく４Ｇユーザであるかどうかに関する情報をＵＤＲから入手することができる。この情報は、異なる手段によって提供され得る。
−  ５ＧＣ  ＵＤＲにおけるサブスクリプションプロファイルは、このユーザが同様に４Ｇユーザであるかどうかの情報を含むように規定される。これは、オペレータによって知られており、プロビジョニングにおいて要求され得る。
−  ＵＤＭは、このサブスクライバ情報をＥＰＣ  ＵＤＲから読み取ることを試みる。これは、ＵＤＭが、極めて不都合であるＵｄ／ＬＤＡＰインターフェースを実装することを必要とし得る。
−  ５ＧＣ  ＵＤＲおよびＥＰＣ  ＵＤＲのシングルベンダーの場合、この「コンバージドＤＢ」は、この情報を容易に含み得る、コンソリデートされたサブスクリプションプロファイルを含むことができる（すなわち、５ＧＣごとに１つのサブスクリプションプロファイルと、ＥＰＣごとに他のサブスクリプションプロファイルとが存在するのではなく、ユーザごとに１つのサブスクリプションプロファイルのみが存在する）。既存の４Ｇユーザの場合、プロファイルは、新しいデータを含む５ＧＣに更新され、次いで、５ＧＣデータが読み取られるとき、このサブスクリプションが４Ｇ対応であるかどうかに関する情報を追加され得る。
【００８２】
ＳＵＰＩに基づいて、受信されたサブスクリプションおよび入力情報は、対応する許可検査を実施する。
【００８３】
受信されたＡＭＦ登録情報は、ＵＤＲに記憶され、もしあれば、前の情報と入れ替わり、登録が受け付けられる。
【００８４】
記憶されたＡＭＦ登録情報があった場合、Ｎｕｄｍ＿ＵＥＣＭ＿Ｄｅｒｅｇｉｓｔｒａｔｉｏｎ＿Ｎｏｔｉｆｉｃａｔｉｏｎが古いＡＭＦに送られる。
【００８５】
２．  ４Ｇ／５Ｇ  ＩＷＫの必要があり、ユーザが、（ＵＤＲから取り出された）ＡＭＦ登録されていない場合、新しいロケーション削除動作が、ＨＳＳに送られ得る。
【００８６】
４Ｇ／５Ｇインターワーキングの必要は、以下の異なる手段によってＵＤＭによって知られ得る。
−  それは、設定され得る
−  ＨＳＳとＵＤＭとの間の対話が、新しいＳＢＡサービスによって提供され得る。
〇  ＨＳＳは、Ｎｈｓｓ＿ＥｐｃＩｎｔｅｒｗｏｒｋｉｎｇ  ＳＢＡサービスを生成し、Ｎｈｓｓ＿ＥｐｃＩｎｔｅｒｗｏｒｋｉｎｇ  ＳＢＡサービスは、ＮＲＦに登録され、次いで、ＵＤＭによって発見／選択される。サービスが存在する（すなわち、登録される）場合、ＩＷＫが実行されるものとする。
〇  ＵＤＭは、Ｎｕｄｍ＿５ｇＩｎｔｅｒｗｏｒｋｉｎｇ  ＳＢＡサービスを生成し、Ｎｕｄｍ＿５ｇＩｎｔｅｒｗｏｒｋｉｎｇ  ＳＢＡサービスは、ＮＲＦに登録され、次いで、ＨＳＳによって発見／選択される。サービスが存在する（すなわち、登録される）場合、ＩＷＫが実行されるものとする。
このステップでは、ＩＷＫの必要がある場合、または、ユーザが同様に４Ｇユーザとして規定される場合にのみ、ＵＤＭからＨＳＳに送られるロケーション削除メッセージ／指示が必要とされることに留意されたい。ユーザが５Ｇユーザのみとして規定され得ることを考慮に入れる。次いで、シグナリング最適化として、ＵＤＭは、ユーザが４Ｇ対応であるかどうかを識別するために、ユーザプロファイルを検査し得る。
【００８７】
３．  登録使用事例の残りは、従来技術として実行される（Ｎｕｄｍ入手およびＮｕｄｍサブスクリプション）。
【００８８】
本開示は、以下の利点を提供する。
−  本開示は、ネットワークにおける異なるベンダーからのＨＳＳとＵＤＭとの共存を可能にし、依然として、５ＧＣからＥＰＳへの／からのＵＥのモビリティをサポートすることが可能である、ソリューションを規定する。
−  本開示は、ユーザが４Ｇサブスクリプションを有するとき、ＨＳＳのみと対話するためのシグナリング最適化を含む。
【００８９】
第１の実施形態では、システムは、第１のサブスクライバノードをもつ第１の５Ｇコアネットワークと、第２のサブスクライバノードを備える第２の４Ｇ  ＥＰＣネットワークと、第２のネットワークに接続されたＵＥとを備える。第１のサブスクライバノードは、４Ｇから５ＧへのＵＥのＩＲＡＴハンドオーバの場合、以下のステップを実施する。
−  第１のサブスクライバノードは、５Ｇコアネットワークにおける登録のために、ＵＥの登録メッセージを受信する、
−  第１のサブスクライバノードは、サブスクライバが４Ｇ  ＥＰＣネットワークサブスクリプションを有するかどうか、または、４Ｇ／５Ｇ  ＩＷＫが必要とされることを検査する、
−  確証した場合、第１のサブスクライバノードは第２のサブスクライバノードにロケーション削除メッセージを送る。
【００９０】
第２の実施形態では、システムは、第１のサブスクライバノードをもつ第１の５Ｇコアネットワークと、第２のサブスクライバノードを備える第２の４Ｇ  ＥＰＣネットワークと、第１のネットワークに接続されたＵＥとを備える。第２のサブスクライバノードは、５Ｇから４ＧへのＵＥのＩＲＡＴハンドオーバの場合、以下のステップを実施する。
−  第２のサブスクライバノードは、ＵＥのためのロケーション更新メッセージを受信する、
−  第２のサブスクライバノードは、第１のサブスクライバノードにロケーション削除メッセージを送る。
【００９１】
添付の図面を参照しながら、次に、本開示によって企図される実施形態がより詳細に説明される。しかしながら、他の実施形態が、本明細書で開示される主題の範囲内に含まれている。開示される主題は、本明細書に記載される実施形態にのみ限定されるものとして解釈されるべきではない。むしろ、図示の実施形態は、例として、主題の範囲を当業者に伝えるように提供される。
【手続補正２】
【補正対象書類名】特許請求の範囲
【補正対象項目名】全文
【補正方法】変更
【補正の内容】
【特許請求の範囲】
【請求項１】
ユーザ機器（ＵＥ）（２）が第１のタイプの通信ネットワークから、前記第１のタイプの通信ネットワークとは異なる第２のタイプの通信ネットワークに移るとき、前記ＵＥ（２）のロケーションを更新するための方法（１０１、２０１）であって、前記方法は、
−  前記第２のタイプの通信ネットワークによって備えられるユーザサブスクリプションノード（１０２、１０３）によって、前記ＵＥ（２）が前記第２のタイプの通信ネットワークへの登録を要求したという指示を受信するステップ（１０７、２０５）と、
−  前記第２のタイプの通信ネットワークによって備えられる前記ユーザサブスクリプションノード（１０２、１０３）によって、前記ＵＥ（２）が前記第１のタイプの通信ネットワークに登録されていると決定するステップと、
−  前記第２のタイプの通信ネットワークによって備えられる前記ユーザサブスクリプションノード（１０２、１０３）によって、前記ＵＥに関するロケーション情報を、前記第１のタイプの通信ネットワークによって備えられるユーザサブスクリプションノード（１０３、１０２）によって削除するためのロケーション削除メッセージを、前記第１のタイプの通信ネットワークによって備えられる前記ユーザサブスクリプションノード（１０３、１０２）に送信するステップ（１０８、２０６）と
を含み、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理（１０３）ノードであり、前記第２のタイプの通信ネットワークによって備えられる前記ユーザサブスクリプションノードがホームサブスクライバサーバ（１０２）ノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノード（１０２）であり、前記第２のタイプの通信ネットワークによって備えられる前記ユーザサブスクリプションノードがユーザデータ管理（１０３）ノードである
のうちのいずれかである、
方法（１０１、２０１）。
【請求項２】
決定する前記ステップは、
−  前記第２のタイプの通信ネットワークによって備えられる前記ユーザサブスクリプションノード（１０２、１０３）によって、前記第２のタイプの通信ネットワークによって備えられるサブスクライバデータベース中の前記ＵＥ（２）のサブスクリプションプロファイルであって、前記ＵＥ（２）が前記第１のタイプの通信ネットワークに登録されているという指示を備えるサブスクリプションプロファイルを取り出すことによって、前記ＵＥ（２）が前記第１のタイプの通信ネットワークに登録されていると決定することと、
−  前記第２のタイプの通信ネットワークによって備えられる前記ユーザサブスクリプションノード（１０２、１０３）によって、前記第１のタイプの通信ネットワークによって備えられるサブスクライバデータベースから、前記ＵＥ（２）が前記第１のタイプの通信ネットワークに登録されているという指示を取り出すことによって、前記ＵＥ（２）が前記第１のタイプの通信ネットワークに登録されていると決定することと
のうちのいずれかを含む、請求項１に記載の方法（１０１、２０１）。
【請求項３】
前記第２のタイプの通信ネットワークによって備えられる前記ユーザサブスクリプションノード（１０２、１０３）と、前記第１のタイプの通信ネットワークによって備えられる前記ユーザサブスクリプションノード（１０３、１０２）が両方とも、コンバージドデータベースへのアクセスを有し、前記コンバージドデータベースが、ＵＥのためのコンソリデートされたサブスクリプションプロファイルを備え、決定する前記ステップは、
−  前記第２のタイプの通信ネットワークによって備えられる前記ユーザサブスクリプションノード（１０２、１０３）によって、前記コンバージドデータベースから、前記ＵＥ（２）が前記第１のタイプの通信ネットワークに登録されているという指示を取り出すこと
を含む、請求項１に記載の方法（１０１、２０１）。
【請求項４】
−  前記第２のタイプの通信ネットワークによって備えられる前記ユーザサブスクリプションノード（１０２、１０３）によって、前記第１のタイプの通信によって備えられる前記ユーザサブスクリプションノード（１０３、１０２）から、前記ＵＥに関するロケーション情報の削除を確認応答する確認応答メッセージを受信するステップ
をさらに含む、請求項１から３のいずれか一項に記載の方法（１０１、２０１）。
【請求項５】
決定する前記ステップは、
−  ４Ｇ／５Ｇインターワーキングの必要を決定することによって、前記ＵＥ（２）に関するロケーション情報を、前記第１のタイプの通信ネットワークによって備えられる前記ユーザサブスクリプションノードから削除する必要があると決定すること
をさらに含む、請求項１から４のいずれか一項に記載の方法（１０１、２０１）。
【請求項６】
前記第１のタイプの通信ネットワークによって備えられる前記ユーザサブスクリプションノード（１０３、１０２）が、ネットワーク間インターワーキングサービスを提供し、決定する前記ステップが、
−  前記第２のタイプの通信ネットワークによって備えられる前記ユーザサブスクリプションノード（１０２、１０３）によって、前記提供されたネットワーク間インターワーキングサービスを発見することと、
−  前記ＵＥに関するロケーション情報を、前記第１のタイプの通信ネットワークによって備えられる前記ユーザサブスクリプションノード（１０３、１０２）から削除する必要があると決定するために、前記第２のタイプの通信ネットワークによって備えられる前記ユーザサブスクリプションノード（１０２、１０３）によって、前記ネットワーク間インターワーキングサービスを使用することと
をさらに含む、請求項１から５のいずれか一項に記載の方法（１０１、２０１）。
【請求項７】
送信する前記ステップが、
−  前記第２のタイプの通信ネットワークによって備えられる前記ユーザサブスクリプションノード（１０２、１０３）によって、コアネットワーク間インターフェース上で前記ロケーション削除メッセージを送信すること
を含む、請求項１から６のいずれか一項に記載の方法（１０１、２０１）。
【請求項８】
第２のタイプの通信ネットワークにおいて動作可能であるように構成され、ユーザ機器（ＵＥ）（２）が第１のタイプの通信ネットワークから、前記第１のタイプの通信ネットワークとは異なる第２のタイプの通信ネットワークに移るとき、前記ＵＥ（２）のロケーションを更新するために構成された、ユーザサブスクリプションノード（３０１）であって、前記ユーザサブスクリプションノード（３０１）は、
−  前記ＵＥ（２）が前記第２のタイプの通信ネットワークへの登録を要求したという指示を受信するために構成された受信機器（３０２）と、
−  前記ＵＥ（２）が前記第１のタイプの通信ネットワークに登録されていると決定するために構成されたプロセス機器（３０６）と、
−  前記第１のタイプの通信ネットワークによって備えられるユーザサブスクリプションノードによって、前記ＵＥに関するロケーション情報を削除するためのロケーション削除メッセージを、前記第１のタイプの通信ネットワークによって備えられる前記ユーザサブスクリプションノードに送信するために構成された送信機器（３０３）と
を備え、
−  前記第１のタイプの通信ネットワークが５Ｇ通信ネットワークであり、前記第２のタイプの通信ネットワークが４Ｇ通信ネットワークであり、前記第１のタイプの通信ネットワークによって備えられる前記ユーザサブスクリプションノードがユーザデータ管理ノードであり、前記第２のタイプの通信ネットワークにおいて動作可能な前記ユーザサブスクリプションノード（３０１）がホームサブスクライバサーバノードであるか、または
−  前記第１のタイプの通信ネットワークが４Ｇ通信ネットワークであり、前記第２のタイプの通信ネットワークが５Ｇ通信ネットワークであり、前記第１のタイプの通信ネットワークによって備えられる前記ユーザサブスクリプションノードがホームサブスクライバサーバノードであり、前記第２のタイプの通信ネットワークにおいて動作可能な前記ユーザサブスクリプションノード（３０１）がユーザデータ管理ノードである
のうちのいずれかである、
ユーザサブスクリプションノード（３０１）。
【請求項９】
前記プロセス機器（３０６）は、
−  前記第２のタイプの通信ネットワークによって備えられる前記ユーザサブスクリプションノードによって、前記第２のタイプの通信ネットワークによって備えられるサブスクライバデータベース中の前記ＵＥのサブスクリプションプロファイルであって、前記ＵＥが前記第１のタイプの通信ネットワークに登録されているという指示を備えるサブスクリプションプロファイルを取り出すことによって、前記ＵＥが前記第１のタイプの通信ネットワークに登録されていると決定することと、
−  前記第２のタイプの通信ネットワークによって備えられる前記ユーザサブスクリプションノードによって、前記第１のタイプの通信ネットワークによって備えられるサブスクライバデータベースから、前記ＵＥが前記第１のタイプの通信ネットワークに登録されているという指示を取り出すことによって、前記ＵＥが前記第１のタイプの通信ネットワークに登録されていると決定することと
のうちのいずれかのためにさらに構成された、請求項８に記載のユーザサブスクリプションノード（３０１）。
【請求項１０】
前記第２のタイプの通信ネットワークにおいて動作可能な前記ユーザサブスクリプションノードと、前記第１のタイプの通信ネットワークによって備えられる前記ユーザサブスクリプションノードが両方とも、コンバージドデータベースにアクセスするように構成され、前記コンバージドデータベースが、ＵＥのためのコンソリデートされたサブスクリプションプロファイルを備え、前記プロセス機器（３０６）は、
−  前記コンバージドデータベースから、前記ＵＥが前記第１のタイプの通信ネットワークに登録されているという指示を取り出すこと
を行うためにさらに構成された、請求項８に記載のユーザサブスクリプションノード（３０１）。
【請求項１１】
前記受信機器（３０２）が、前記第１のタイプの通信によって備えられる前記ユーザサブスクリプションノードから、前記ＵＥに関するロケーション情報の削除を確認応答する確認応答メッセージを受信するためにさらに構成された、請求項８から１０のいずれか一項に記載のユーザサブスクリプションノード（３０１）。
【請求項１２】
前記プロセス機器（３０６）が、
−  ４Ｇ／５Ｇインターワーキングの必要を決定することによって、前記ＵＥに関するロケーション情報を、前記第１のタイプの通信ネットワークによって備えられる前記ユーザサブスクリプションノードから削除する必要があると決定すること
を行うためにさらに構成された、請求項８から１１のいずれか一項に記載のユーザサブスクリプションノード（３０１）。
【請求項１３】
前記第１のタイプの通信ネットワークによって備えられる前記ユーザサブスクリプションノードが、ネットワーク間インターワーキングサービスを提供するために構成され、前記プロセス機器（３０６）が、
−  前記提供されたネットワーク間インターワーキングサービスを発見することと、
−  前記ＵＥに関するロケーション情報を、前記第１のタイプの通信ネットワークによって備えられる前記ユーザサブスクリプションノードから削除する必要があると決定するために、前記ネットワーク間インターワーキングサービスを使用することと
を行うためにさらに構成された、請求項８から１２のいずれか一項に記載のユーザサブスクリプションノード（３０１）。
【請求項１４】
前記送信機器（３０３）が、コアネットワーク間インターフェース上で前記ロケーション削除メッセージを送信するためにさらに構成された、請求項８から１３のいずれか一項に記載のユーザサブスクリプションノード（３０１）。
【請求項１５】
第２のタイプの通信ネットワークによって備えられるユーザサブスクリプションノードによって実行されたとき、前記ユーザサブスクリプションノードに、請求項１から７のいずれか一項に記載の方法を実施させる命令を記憶したコンピュータ可読媒体を備えるコンピュータプログラム製品。
【国際調査報告】
2021533636.tif 000007
2021533636.tif 000008
2021533636.tif 000009
2021533636.tif 000010